(57)【要約】【課題】コストダウンを図りながら、枠体を目立ちにくくすることで外観的な見栄えを改善した点検口構造を提供する。【解決手段】壁材３に形成した壁穴１３に矩形状に枠体４を装着し、枠体４に蓋体６を嵌め込むことで閉蓋する。枠体４は周壁部７と着座フランジ部８及び蓋受けフランジ部９とで断面略クランク状に形成してあり、蓋受けフランジ部９には球状クリップ１４を突設してあるとともに、球状クリップ１４以外の部分は壁材３側のビニールクロス１６で巻き込むことで被覆してある。蓋体６は壁材３側と同じビニールクロス１９で被覆してあるとともに、裏面には球状クリップ１４に対応する球状穴クリップ１５を凹設してあり、両者の係合をもって閉蓋状態を自己保持する。【選択図】図４
2009057711.tif 000002
【特許請求の範囲】
【請求項１】
壁体に開口形成された壁穴にその壁穴を縁取りするべく枠体を嵌装するとともに、その枠体に着脱可能な蓋体を嵌め込むことで、上記枠体をもって形成される点検口を蓋体にて閉蓋するようにした壁体の点検口構造であって、
上記枠体は、少なくとも、壁穴の内周面に沿って立ち上がる周壁部と、この周壁部の開口縁から張り出して壁体に着座することになる着座フランジ部と、をもって断面略アングル状のものとして形成してあるとともに、
相互に係合離脱可能な係合手段を上記枠体および蓋体にそれぞれ設けて、蓋体による閉蓋状態では上記係合手段同士の係合をもってその閉蓋状態を自己保持するようになっていて、
さらに、上記枠体の少なくとも着座フランジ部を壁体側と同じ表面仕上げ層をもって被覆してあることを特徴とする壁体の点検口構造。
【請求項２】
上記枠体は、壁穴の内周面に沿って立ち上がる周壁部と、この周壁部の開口縁から張り出して壁体に着座することになる着座フランジ部、および同じく周壁部の奥部側から着座フランジ部とは反対側に張り出す蓋受けフランジ部と、をもって断面略クランク状のものとして形成してあるとともに、
相互に係合離脱可能な係合手段を上記枠体の蓋受けフランジ部および上記蓋体の裏面にそれぞれ設けて、蓋体による閉蓋状態では上記係合手段同士の係合をもってその閉蓋状態を自己保持するようになっていることを特徴とする請求項１に記載の壁体の点検口構造。
【請求項３】
上記壁体側の表面仕上げ層がシート状の表皮材であり、この表皮材を枠体の周壁部側まで巻き込むことで枠体の少なくとも着座フランジ部を被覆してあることを特徴とする請求項２に記載の壁体の点検口構造。
【請求項４】
上記係合手段として機能するとともに相互に係合離脱可能な雄側クリップ手段と雌側クリップ手段のうちいずれか一方を上記枠体の蓋受けフランジ部に、他方を上記蓋体の裏面にそれぞれ設けてあることを特徴とする請求項２または３に記載の壁体の点検口構造。
【請求項５】
上記雄側クリップ手段が球状クリップであり、雌側クリップ手段が上記球状クリップと係合離脱可能な球状穴クリップであることを特徴とする請求項４に記載の壁体の点検口構造。
【請求項６】
上記壁体側の表皮材を枠体の蓋受けフランジ部側まで巻き込むことで枠体の少なくとも着座フランジ部および周壁部を被覆してあることを特徴とする請求項２〜５のいずれかに記載の壁体の点検口構造。
【請求項７】
上記蓋体の少なくとも表面側を壁体側と同じ表面仕上げ層をもって被覆してあることを特徴とする請求項１〜６のいずれかに記載の壁体の点検口構造。
【請求項８】
上記枠体は縦壁に開口形成された壁穴に嵌装されているとともに、その枠体および蓋体が共に矩形状のものとして形成されていて、
上記係合手段として機能するとともに相互に係合離脱可能な雄側クリップ手段と雌側クリップ手段のうちいずれか一方のクリップ手段を上記枠体の対向二辺部のうち上辺側の蓋受けフランジ部に、他方のクリップ手段を上記蓋体の裏面の同等位置にそれぞれ設ける一方、
同じく係合手段として機能するとともに相互に係止離脱可能な引っ掛けヒンジ手段のうちいずれか一方のヒンジ手段を上記枠体の対向二辺部のうち下辺側の蓋受けフランジ部に、他方のヒンジ手段を上記蓋体の裏面の同等位置にそれぞれ設け、
上記蓋体による閉蓋状態ではクリップ手段同士の係合および引っ掛けヒンジ手段同士の係止をもってその閉蓋状態を自己保持するようになっていることを特徴とする請求項４に記載の壁体の点検口構造。
【請求項９】
上記雄側クリップ手段が球状クリップであり、雌側クリップ手段が上記球状クリップと係合離脱可能な球状穴クリップであるとともに、
上記枠体の対向二辺部のうち下辺側の蓋受けフランジ部および上記蓋体の裏面の同等位置には、引っ掛けヒンジ手段として引っ掛けフランジ部をそれぞれ設けてあることを特徴とする請求項８に記載の壁体の点検口構造。
【請求項１０】
上記壁体側の表面仕上げ層がシート状の表皮材であり、この表皮材を枠体の蓋受けフランジ部側まで巻き込むことで枠体の少なくとも着座フランジ部および周壁部を被覆してあることを特徴とする請求項８または９に記載の壁体の点検口構造。
【請求項１１】
上記蓋体の少なくとも表面側を壁体側と同じ表面仕上げ層をもって被覆してあることを特徴とする請求項８〜１０のいずれかに記載の壁体の点検口構造。
【発明の詳細な説明】
【技術分野】
【０００１】
本発明は、建物の縦壁、床あるいは天井等に設けられる点検口の構造に関し、特に点検口の開口縁部での枠体の露出による見栄えを改善した点検口構造に関するものである。
【背景技術】
【０００２】
建物の縦壁、床あるいは天井等には壁裏や内部機器の点検等のために点検口が設けられており、例えば特許文献１〜３に記載のように、その点検口は着脱可能または開閉可能な蓋体によって通常は閉蓋されているのが一般的である。
【特許文献１】特開平６−１４６３１７号公報
【特許文献２】特開２００１−１４０４６０号公報
【特許文献３】特開２００５−１３９７０４号公報
【発明の開示】
【発明が解決しようとする課題】
【０００３】
特許文献１，２に記載されたような従来の点検口の構造では、蓋体の保持にねじ類やロック機構を採用しているため、コストアップが余儀なくされることとなって好ましくない。
【０００４】
また、特許文献１〜３に記載されたような従来の点検口の構造では、例えば石膏ボード等の壁体に開口形成された壁穴にその壁穴を縁取りするべく枠体を嵌装し、その枠体に着脱可能または開閉可能な蓋体を嵌め込むことで、上記枠体をもって形成される点検口を蓋体にて閉蓋するようにしているため、枠体の外部への露出が不可避であり、いわゆる見栄えの向上を図るにも限界がある。
【０００５】
特に、壁体全体の一体感を持たせるべく蓋体を壁材と同じ材質のもので形成した場合には、点検口を縁取りしている枠体がかえって違和感を与える結果となって目立ちやすく、なお改善の余地を残している。
【０００６】
本発明はこのような課題に着目してなされたものであり、コストダウンを図りながら、とりわけ枠体を目立ちにくくすることで外観的な見栄えを改善した点検口構造を提供しようとするものである。
【課題を解決するための手段】
【０００７】
本発明は、壁体に開口形成された壁穴にその壁穴を縁取りするべく枠体を嵌装するとともに、その枠体に着脱可能な蓋体を嵌め込むことで、上記枠体をもって形成される点検口を蓋体にて閉蓋するようにした壁体の点検口構造を前提とする。
【０００８】
なお、上記壁体には、建物の縦壁のほか床あるいは天井をも含むものとする。
【０００９】
その上で、上記枠体は、少なくとも、壁穴の内周面に沿って立ち上がる周壁部と、この周壁部の開口縁から張り出して壁体に着座することになる着座フランジ部と、をもって断面略アングル状のものとして形成してあるとともに、相互に係合離脱可能な係合手段を上記枠体および蓋体にそれぞれ設けて、蓋体による閉蓋状態では上記係合手段同士の係合をもってその閉蓋状態を自己保持するようになっていて、さらに、上記枠体の少なくとも着座フランジ部を壁体側と同じ表面仕上げ層をもって被覆してあることを特徴とする。
【００１０】
なお、ここに言う表面仕上げ層には、塗装あるいは吹き付けによる被覆層のほか、ビニールクロス、壁紙等のシート状の表皮材等をも含むものである。また、上記係合手段としては、例えば凹凸あるいは引っ掛かりに関係をもって蓋体の閉蓋状態を自己保持できる機能があれば良く、より具体的には後述するような球状クリップと球状穴クリップとの組み合わせのほか、日本ベルクロ社製のマジックファスナー（登録商標）に代表されるような面ファスナー等を用いることができる。
【００１１】
好ましくは、請求項２に記載のように、上記枠体は、壁穴の内周面に沿って立ち上がる周壁部と、この周壁部の開口縁から張り出して壁体に着座することになる着座フランジ部、および同じく周壁部の奥部側から着座フランジ部とは反対側に張り出す蓋受けフランジ部と、をもって断面略クランク状のものとして形成し、相互に係合離脱可能な係合手段を上記枠体の蓋受けフランジ部および上記蓋体の裏面にそれぞれ設けて、蓋体による閉蓋状態では上記係合手段同士の係合をもってその閉蓋状態を自己保持するようになっているものとする。
【００１２】
この場合において、例えば請求項３に記載のように、上記壁体側の表面仕上げ層が例えばビニールクロス等のシート状の表皮材である場合には、この表皮材を枠体の周壁部側まで巻き込むことで枠体の少なくとも着座フランジ部を被覆することが望ましい。
【００１３】
また、請求項４に記載のように、上記係合手段として機能するとともに相互に係合離脱可能な雄側クリップ手段と雌側クリップ手段のうちいずれか一方を上記枠体の蓋受けフランジ部に、他方を上記蓋体の裏面にそれぞれ設けるものとする。より具体的には、請求項５に記載のように、上記雄側クリップ手段は球状クリップとし、雌側クリップ手段は上記球状クリップと係合離脱可能な球状穴クリップとする。
【００１４】
上記枠体をより目立ちにくくするためには、請求項６に記載のように、上記壁体側の表皮材を枠体の蓋受けフランジ部側まで巻き込むことで枠体の少なくとも着座フランジ部および周壁部を被覆してあることが望ましく、同時に請求項７に記載のように、上記蓋体の少なくとも表面側を壁体側と同じ表面仕上げ層をもって被覆してあることが望ましい。
【００１５】
したがって、少なくとも請求項１に記載の発明では、蓋体による閉蓋状態では、上記係合手段同士の係合をもってその閉蓋状態が自己保持されることになる。そして、枠体の少なくとも着座フランジ部を壁体側と同じ表面仕上げ層をもって被覆してあるため、少なくとも閉蓋状態では枠体が外部に露出することはなくなる。
【００１６】
請求項８に記載の発明は、上記枠体は縦壁に開口形成された壁穴に嵌装されているとともに、その枠体および蓋体が共に矩形状のものとして形成されていることを前提としている。
【００１７】
その上で、上記係合手段として機能するとともに相互に係合離脱可能な雄側クリップ手段と雌側クリップ手段のうちいずれか一方のクリップ手段を上記枠体の対向二辺部のうち上辺側の蓋受けフランジ部に、他方のクリップ手段を上記蓋体の裏面の同等位置にそれぞれ設ける一方、同じく上記係合手段として機能するとともに相互に係止離脱可能な引っ掛けヒンジ手段のうちいずれか一方のヒンジ手段を上記枠体の対向二辺部のうち下辺側の蓋受けフランジ部に、他方のヒンジ手段を上記蓋体の裏面の同等位置にそれぞれ設け、上記蓋体による閉蓋状態ではクリップ手段同士の係合および引っ掛けヒンジ手段同士の係止をもってその閉蓋状態を自己保持するようになっていることを特徴とする。
【００１８】
より具体的には、請求項９に記載のように、上記雄側クリップ手段が球状クリップであり、雌側クリップ手段が上記球状クリップと係合離脱可能な球状穴クリップであるとともに、上記枠体の対向二辺部のうち下辺側の蓋受けフランジ部および上記蓋体の裏面の同等位置には、引っ掛けヒンジ手段として引っ掛けフランジ部をそれぞれ設けてあるものとする。
【００１９】
また、枠体をより目立ちにくくするためには、請求項１０に記載のように、上記壁体側の表面仕上げ層がシート状の表皮材である場合には、この表皮材を枠体の蓋受けフランジ部側まで巻き込むことにより、枠体の少なくとも着座フランジ部および周壁部を被覆してあることが望ましく、同時に請求項１１に記載のように、上記蓋体の少なくとも表面側を壁体側と同じ表面仕上げ層をもって被覆してあることが望ましい。
【００２０】
したがって、少なくとも請求項８に記載の発明では、蓋体による閉蓋状態では、枠体の下辺側での引っ掛けヒンジ手段同士の係止、および枠体の上辺側でのクリップ手段同士の係合をもって、その閉蓋状態が自己保持される。そして、この場合においても、枠体の少なくとも着座フランジ部を壁体側と同じ表面仕上げ層をもって被覆してあるため、少なくとも閉蓋状態では枠体が外部に露出することはなくなる。
【発明の効果】
【００２１】
請求項１，８に記載の発明によれば、少なくとも閉蓋状態では枠体が外部に露出することがなく、観者に視認されることがないため、点検口周りの外観的な見栄えの向上が図れるようになる。
【００２２】
請求項７，１１１に記載の発明によれば、蓋体の少なくとも表面側を壁体側と同じ表面仕上げ層をもって被覆してあるため、枠体が露出しないのに加えて、蓋体と壁体との一体感が得られるため、点検口周りの見栄えの向上の上で一段と有利となる。
【発明を実施するための最良の形態】
【００２３】
図１〜６は本発明に係る点検口構造のより具体的な第１の実施の形態を示す図であり、特に図１は壁体である建物の縦壁に形成された点検口５が蓋体６にて閉蓋されている状態を斜視図をもって示しており、図２は図１のＡ−Ａ線に沿う拡大断面図であって且つ蓋体６にて閉蓋される前の状態を、図３は図１，２における枠体４と蓋体６との相対位置関係をそれぞれ示している。
【００２４】
図１，２に示すように、例えば縦方向および横方向に配置された建物の支柱１，２に対し縦壁を形成することになる例えば石膏ボード等の板状の壁材３が釘あるいはビス等により固定されていて、その壁材３の一部を切除することで矩形状の壁穴１３が開口形成されている。なお、図１，２では、壁材３として石膏層３ａの表裏両面に厚紙３ｂを張り合わせたものを例示してある。また、支柱１，２としては通常は木質系角材または鋼材が使用される。
【００２５】
壁穴１３には当該壁穴１３を縁取りするべく同じく矩形状の枠体４が嵌装されていて、その枠体４の内部の開放空間が実質的に点検口５として機能することになる。そして、その枠体４に対して面一状態となるように同じく矩形状の蓋体６を着脱可能または開閉可能に嵌め込むことで点検口５が閉蓋されることになる。
【００２６】
枠体４は例えば薄肉状の樹脂材料にて形成されたものであって、図３に示すように壁穴１３の内周面に沿ってこれに内接しつつ立ち上がる周壁部７と、この周壁部７の開口縁からほぼ直角に張り出して壁材３の表面に着座することになる幅広の着座フランジ部８と、同じく周壁部７の奥部側から着座フランジ部８とは反対方向にほぼ直角に張り出して支柱１，２の一部に着座することになる蓋受けフランジ部９とを有している。これらの周壁部７と着座フランジ部８および蓋受けフランジ部９があるために枠体４はその断面が略クランク状または有段状のものとして形成されていて、図４，５に拡大して示すように、蓋受けフランジ部９は例えばその四隅のビス穴１０に挿入される皿ビス１１をもって支柱１，２に固定されるとともに、着座フランジ部８は図４に示すように両面粘着テープ１２をもって壁材３に接着固定される。そして、後述するように蓋受けフランジ部９に蓋体６が着座するような姿勢をもって周壁部７の内部空間にて蓋体６を受容することになる。
【００２７】
なお、後述するような蓋体６の閉蓋状態を自己保持することができさえすれば、蓋受けフランジ部９は必ずしも必要ではなく、枠体４は実質的に断面Ｌ字状またはアングル状のものであっても良い。
【００２８】
ここで、枠体４は樹脂により一体成形することも可能ではあるが、サイズ違いの矩形形状にも柔軟に対応できる自由度があり、且つコスト低減の上では次のような構成とすることが望ましい。すなわち、例えば略クランク状または有段状の均一断面形状に押出成形された長尺な枠素材を所定長さに裁断することで矩形状の一辺とし、それら四辺分を図３に示すように矩形状に組み合わせた上で図示外のコーナージョイント等を用いて相互に結合することが望ましい。
【００２９】
また枠体４の着座フランジ部８は後述するように壁材３側の表面仕上げ層であるビニールクロス１６等にて被覆されることを考慮して、図５に示すように周壁部７から遠ざかるにしたがってその板厚が漸次小さくなるように設定してある。これにより、上記のように着座フランジ部８がビニールクロス１６等にて被覆された際に、着座フランジ部８の端縁での段差が目立たないようにしてある。
【００３０】
図３〜５に示すように、上記枠体４のうち蓋受けフランジ部９の四隅、より具体的には蓋受けフランジ部９のうち相互に対向する上辺側および下辺側の両端部には係合手段および雄側クリップ手段として機能するスタッド状の球状クリップ（または球状ファスナー）１４を突出形成してある。この球状クリップ１４は、蓋受けフランジ部９から立設した軸部１４ｂにそれよりも大径の球状の頭部１４ａを一体に形成したものであり、軸部１４ｂがあることによって球状クリップ１４全体として適度な可撓性を有している。そして、枠体４のうち球状クリップ１４を除いた部分、すなわち周壁部７、着座フランジ部８および蓋受けフランジ部９のそれぞれは、壁材３の表面を被覆している表面仕上げ層であるシート状の表皮材１６（図４に破線で示してある）、例えばビニールクロスによって被覆してある。これにより、蓋体６の非閉蓋状態にあっても球状クリップ１４以外の部分が直接露出しないように考慮してある。
【００３１】
なお、上記球状クリップ１４は、図５に示すように例えば二つ一組として共通のベースプレート１４ｃの上に突設してあるものを、先に述べた長尺な枠素材に対し溶着あるいは接着等の手段にて予め固定してあるものとする。
【００３２】
他方、図２〜４に示すように、蓋体６の裏面であって且つ枠体４側の球状クリップ１４に対応する位置には同じく係合手段および雌側クリップ手段として機能する凹状の球状穴クリップ（球状穴ファスナー）１５を設けてあり、この球状穴クリップ１５は球状クリップ１４と係合離脱可能となっている。つまり、上記点検口５を蓋体６にて閉蓋するべく枠体４に蓋体６を嵌め込んだときには、上記球状クリップ１４と球状穴クリップ１５との係合によって蓋体６の閉蓋状態が自己保持されるようになっている。
【００３３】
このように、球状クリップ１４と球状穴クリップ１５とは、その両者の係合によって蓋体６の閉蓋状態を自己保持することができれば良いから、球状クリップ１４と球状穴クリップ１５との相対位置関係は互いに逆であっても良い。
【００３４】
ここで、上記蓋体６は例えば壁材３と同様の石膏ボード等にて構成されているが、図４に示すように樹脂製の外枠１７のなかに石膏層１８を形成してあり、その石膏層１８に埋設するようにして外枠１７の端部に球状クリップ１５を一体に形成してある。そして、蓋体６の表面は例えば壁材３側と同じ表面仕上げ層としてのシート状の表皮材１９（図４に破線で示してある）、例えばビニールクロスにて被覆してあるとともに、蓋体６の裏面は例えば厚紙等の裏打ち材２０にて裏打ちしてある。
【００３５】
したがって、このような点検口構造によれば、図２，４に示すような蓋体６の非閉蓋状態において、蓋体６を枠体４に合致させるように嵌め込みめば、枠体４側の四隅の球状クリップ１４の位置と蓋体６側の球状穴クリップ１５の位置がそれぞれに自律的に合致するようになる。そして、球状クリップ１４の位置と球状穴クリップ１５の位置が合致したことが感触的に確認できたならば、両者を係合させるべく蓋体６をさらに押し込む。こうすることにより、図６に示すように蓋体６が枠体４の蓋受けフランジ部９に着座するか、着座しないまでも蓋体６が蓋受けフランジ部９に近接するとともに、球状クリップ１４と球状穴クリップ１５とが自己弾性力により互いに凹凸嵌合するかたちで係合し、最終的には蓋体６が壁材３とほぼ面一状態となることで点検口５が蓋体６にて閉蓋される。そして、図６のような閉蓋状態は球状クリップ１４と球状穴クリップ１５との係合のためにそのまま自己保持することが可能となる。
【００３６】
また、点検口５を開く必要がある場合には、閉蓋状態にある枠体４と蓋体６との周囲の隙間に例えばマイナスドライバー等を差し込んだ上でこじ上げれば、球状クリップ１４と球状穴クリップ１５との係合が解除されて、蓋体６を取り外すことが可能となる。
【００３７】
そして、閉蓋状態にあるか非閉蓋状態にあるかにかかわらず、枠体４の周壁部７や着座フランジ部８および蓋受けフランジ部９が表面仕上げ層であるシート状の表皮材１６で被覆されているので、枠体４が外部に露出することもなければその存在が観者に視認されることもなく、外観的な見栄えがきわめて良好なものとなる。
【００３８】
ここで、上記実施の形態では、蓋体６として外枠１７の内側に石膏層１８を形成した上でその表面側を壁材３側と同じビニールクロス等のシート状の表皮材１９で被覆したものを例示しているが、蓋体６の材質は特に限定されるものではない。例えば、樹脂あるいは金属製のものであっても良く、また必ずしも表面がビニールクロス等のシート状の表皮材１９にて被覆されている必要もなく、要は球状クリップ１４と球状穴クリップ１５との係合によって閉蓋状態を自己保持できるものであれば良い。ただし、壁材３側との色調を合わせて目立ちにくくする上では、少なくとも蓋体６の表面の色調は壁材３側の表面仕上げ層（シート状の表皮材）と同色系であることが望ましい。
【００３９】
また、上記係合手段としての球状クリップ１４と球状穴クリップ１５との組み合わせに代えて、例えば日本ベルクロ社製のマジックファスナー（登録商標）に代表されるような面ファスナー等の手段を用いることも可能であり、要は例えば凹凸あるいは引っ掛かりに関係をもって蓋体６の閉蓋状態を自己保持できれば良い。
【００４０】
さらに、壁材３側の表面仕上げ層としては、先に例示したビニールクロス等のシート状の表皮材１６に代えて例えばペイントの塗装あるいは吹き付けによる塗膜としても良い。この場合には、枠体４側の着座フランジ部８と壁材３との間の段差を解消するべく、着座フランジ部８の周縁部に例えばパテ塗りによる面一化処理を施した上で、枠体４の表面にも壁体３側と同じ塗膜を形成することにより、枠体４を目立たなくすることができる。
【００４１】
図７，８は本発明に係る点検口構造の第２の実施の形態を示し、図７は枠体２４の正面図を、図８は図７のＢ−Ｂ線に沿う断面図をそれぞれ示している。なお、かかる第２の実施の形態において、図１〜６に示した第１の実施の形態と共通する部分には同一符号を付してある。
【００４２】
この第２の実施の形態では、図７，８に示すように、枠体２４の蓋受けフランジ部９の上辺部には先の第１の実施の形態と同様に係合手段および雄側クリップ手段として機能する左右一対のスタッド状の球状クリップ（または球状ファスナー）１４を突出形成してある一方、蓋受けフランジ部９の下辺部にはスタッド状の球状クリップ１４に代えて、その全長にわたり係合手段および引っ掛けヒンジ手段として機能する断面Ｌ字状の引っ掛けフランジ部２１を矩形中空断面構造のリブ２２とともに形成してある。
【００４３】
他方、蓋体２６の裏面のうち球状クリップ１４に対応する位置には先の第１の実施の形態と同様に係合手段および雌側クリップ手段として機能する球状穴クリップ（球状穴ファスナー）１５を樹脂製の外枠１７と一体に形成してあるとともに、枠体２４側の引っ掛けフランジ部２１と対応する位置には同じく係合手段および引っ掛けヒンジ手段として機能する断面Ｌ字状の引っ掛けフランジ部２３を外枠１７と一体に形成してある。そして、上記球状クリップ１４と球状穴クリップ１５は先の第１の実施の形態と同様にその凹凸嵌合をもって相互に係合可能となっている一方、引っ掛けフランジ部２１，２３同士は互いに引っ掛かりの関係をもって遊嵌的に係止されて、あたかもヒンジとして機能するようになっている。
【００４４】
ここで、上記引っ掛けフランジ部２１，２３としては、係止時の操作性を考慮して傾斜姿勢のものとしても良いことは言うまでもない。
【００４５】
したがって、この第２の実施の形態によれば、図８の枠体２４側の点検口５を蓋体２６をもって閉蓋する際に、蓋体２６の姿勢を傾斜気味に維持したならば最初に引っ掛けフランジ部２１，２３同士を係止させ、それに続いて引っ掛けフランジ部２１，２３同士の係止部を支点として蓋体２６を押し込んで、上記球状クリップ１４と球状穴クリップ１５とを相互に係合させる。こうすることにより、先の第１の実施の形態と同様に蓋体２６による閉蓋状態を自己保持することが可能となる。
【００４６】
また、点検口５を開く必要がある場合には、閉蓋状態にある枠体２４と蓋体２６との周囲のうち上辺側の隙間に例えばマイナスドライバー等を差し込んでこじ上げて、球状クリップ１４と球状穴クリップ１５との係合を解除した上で、蓋体２６側の引っ掛けフランジ部２３を枠体２４側の引っ掛けフランジ部２１から抜き取るようにすれば蓋体２６を取り外すことが可能となる。
【００４７】
この第２の実施の形態においても先の第１の実施の形態と同様の効果が得られることになる。
【００４８】
ここで、枠体２４側の引っ掛けフランジ部２１については、先に述べたような均一断面形状の長尺な枠素材として押出成形することが可能であり、この枠素材を所定長さに裁断して枠体２４の下辺側の一辺として使用するものとする。
【図面の簡単な説明】
【００４９】
【図１】本発明に係る点検口構造の第１の実施の形態を示す図で、建物の縦壁に形成された点検口の閉蓋状態を示す要部斜視図。
【図２】図１のＡ−Ａ線の沿う拡大断面図。
【図３】図２に示す枠体と蓋体との相対位置関係を示す分解斜視図。
【図４】図２の要部拡大図。
【図５】図４の要部拡大図。
【図６】図４の状態から閉蓋した状態を示す断面説明図。
【図７】本発明に係る点検口構造の第２の実施の形態を示す図で、枠体の正面説明図。
【図８】図７のＢ−Ｂ線に沿う拡大断面図。
【符号の説明】
【００５０】
３…壁材（壁体）
４…枠体
５…点検口
６…蓋体
７…周壁部
８…着座フランジ部
９…蓋受けフランジ部
１３…壁穴
１４…雄側クリップ手段としての球状クリップ（係合手段）
１５…雌側クリップ手段としての球状穴クリップ（係合手段）
１６…シート状の表皮材（表面仕上げ層）
１９…シート状の表皮材（表面仕上げ層）
２１…引っ掛けヒンジ手段としての引っ掛けフランジ部（係合手段）
２３…引っ掛けヒンジ手段としての引っ掛けフランジ部（係合手段）
２４…枠体
２６…蓋体
【図１】
2009057711.tif 000003
【図２】
2009057711.tif 000004
【図３】
2009057711.tif 000005
【図４】
2009057711.tif 000006
【図５】
2009057711.tif 000007
【図６】
2009057711.tif 000008
【図７】
2009057711.tif 000009
【図８】
2009057711.tif 000010